(57)【要約】【課題】  取り出す時に細菌汚染されることのない消毒綿収容装置を提供すること。【解決手段】本発明に係る消毒綿収容装置は、内部に消毒綿を収容可能な収容部を備えたハウジングと、前記収容部から消毒綿を取り出すことができるように前記ハウジングに形成された消毒綿取出口と、前記ハウジングに開閉可能に設けられた消毒綿取出口用蓋部材とを備え、前記蓋部材を開けた状態において、空気中の物質と反応して、蓋部材とハウジングとの間の空間における前記消毒綿取出口の周囲に殺菌剤含有雰囲気を生成するように殺菌剤発生手段を前記ハウジング又は蓋部材に設けたことを特徴とする。【選択図】図２
2015168464.tif 000002
【特許請求の範囲】
【請求項１】
内部に消毒綿を収容可能な収容部を備えたハウジングと、
前記収容部から消毒綿を取り出すことができるように前記ハウジングに形成された消毒綿取出口と、
前記ハウジングに開閉可能に設けられた消毒綿取出口用蓋部材と
を備え、
前記蓋部材を開けた状態において、空気中の物質と反応して、蓋部材とハウジングとの間の空間における前記消毒綿取出口の周囲に殺菌剤含有雰囲気を生成するように殺菌剤発生手段を前記ハウジング又は蓋部材に設けた
ことを特徴とする消毒綿収容装置。
【請求項２】
前記殺菌剤発生手段が、空気中の物質と反応して二酸化塩素雰囲気を生成するように構成されている
ことを特徴とする請求項１に記載の消毒綿収容装置。
【請求項３】
前記蓋部材が、蓋部材を開けた時に、取出口の側方を覆うように蓋部材とハウジングとの間に伸びる側壁を備えている
ことを特徴とする請求項１又は２に記載の消毒綿収容装置。
【請求項４】
前記殺菌剤発生手段が前記蓋部材の裏面に設けられている
ことを特徴とする請求項１〜３の何れか一項に記載の消毒綿収容装置。
【請求項５】
前記殺菌剤発生手段が消毒綿取出口と同一平面上に設けられている
ことを特徴とする請求項１〜３の何れか一項に記載の消毒綿収容装置。  
【請求項６】
前記収容部の内部に消毒液が収容され、
消毒綿を構成する基材が消毒液に浸された状態で収容部の内部に収容されている
ことを特徴とする請求項１〜５の何れか一項に記載の消毒綿収容装置。
【請求項７】
小片に切り離し可能に形成された帯状基材をロール状に巻き回してなる基材ロールを備え、
前記基材ロールが、少なくともその外面の一部が消毒液に浸かった後に消毒綿取出口から取り出されるように前記収容部の内部に転動可能に収容されている
ことを特徴とする請求項６に記載の消毒綿収容装置。
【請求項８】
小片に切り離し可能に形成された帯状基材をジグザグ状に折り畳んでなる基材塊体を備え、
ジグザグ状に折り畳まれた前記基材塊体が、少なくともその一方側の縁部が消毒液に浸かるように前記収容部の内部に収容されている
ことを特徴とする請求項６に記載の消毒綿収容装置。
【請求項９】
ジグザグ状に折り畳まれた前記基材塊体の底面が収容部の側面に固定されている
ことを特徴とする請求項８に記載の消毒綿収容装置。
【請求項１０】
小片に切り離し可能に形成された帯状基材をジグザグ状に折り畳んでなる基材塊体を備え、
ジグザグ状に折り畳まれた前記基材塊体が、少なくともその底部が消毒液に浸かるように前記収容部の内部に収容されている
ことを特徴とする請求項６に記載の消毒綿収容装置。
【請求項１１】
ジグザグ状に折り畳まれた前記基材塊体の底面が収容部の底面に固定されている
ことを特徴とする請求項１０に記載の消毒綿収容装置。
【発明の詳細な説明】
【技術分野】
【０００１】
本発明は、アルコール等の消毒液を脱脂綿や不織布に含浸させた消毒綿を収容し、必要に応じて内部に収容した消毒綿を取り出すことができるように構成された消毒綿収容装置に関する。
【背景技術】
【０００２】
病院等の医療現場では、患者への感染防止や患者の皮膚等の消毒および注射針、採血針による穿刺部位の消毒のために酒精綿が使われている。
この酒精綿は、予め適度な大きさにカットされた脱脂綿や不織布等の基材片と、十分な量のアルコールとを万能つぼに入れ、前記基材片をアルコールに浸すことによって作られる。
しかし、アルコール中でも繁殖する細菌があるので、万能つぼ内に細菌類が入り込んだり、万能つぼの取出し口付近が細菌汚染されていた場合には取り出された酒精綿が細菌に汚染されているもしくは、される恐れがある。
また、上記したように万能つぼを使って酒精綿を作る場合、作製中の基材汚染を防ぐために、手洗い後にプラスチック手袋を装着し、手袋をアルコール消毒した後に、万能つぼに脱脂綿片や不織布片等の基材片を入れ、その後、万能つぼに十分量のアルコール製剤を注いで調整するという時間がかかる面倒な作業が必要となるので問題である。
上記した問題を解決するために、予め基材片にアルコールを含浸させた酒精綿を一回の使用量毎に袋に入れたものがある。
【発明の概要】
【発明が解決しようとする課題】
【０００３】
しかし、上記した個別包装した酒精綿は、個別包装するのでコストが高くなる。また、使う都度、開封して包装から酒精綿を出さなければならないので面倒である。
さらにまた、開封直後に使用しなければならず、開封後のトラブル発生により使用が後になった時には、乾燥していたり、汚染されていたりする可能性があるため、使用できるかできないかの判断ができず、再度新しいものを開封しなければならないという問題もある。
本発明は、上記した従来の問題点を解決し、取り出す時に細菌汚染されることのない消毒綿収容装置を提供することを目的としている。
【課題を解決するための手段】
【０００４】
上記した目的を達成するために、本発明による消毒綿収容装置は、内部に消毒綿を収容可能な収容部を備えたハウジングと、前記収容部から消毒綿を取り出すことができるように前記ハウジングに形成された消毒綿取出口と、前記ハウジングに開閉可能に設けられた消毒綿取出口用蓋部材とを備え、前記蓋部材を開けた状態において、空気中の物質と反応して、蓋部材とハウジングとの間の空間における前記消毒綿取出口の周囲に殺菌剤含有雰囲気を生成するように殺菌剤発生手段を前記ハウジング又は蓋部材に設けたことを特徴とする。
前記殺菌剤発生手段が、空気中の物質と反応して二酸化塩素雰囲気、オゾン雰囲気、又はイオン雰囲気等を生成するように構成され得る。前記空気中の物質は、例えば、水分や二酸化炭素等であり得る。
好ましくは、前記蓋部材は、蓋部材を開けた時に、取出口の側方を覆うように蓋部材とハウジングとの間に伸びる側壁を備えることができる。
前記殺菌剤発生手段は、例えば、前記蓋部材の裏面に設けられ得る。
前記収容部の内部には消毒液が収容され、消毒綿を構成する基材が消毒液に浸された状態で収容部の内部に収容され得る。前記消毒液は、例えば、アルコール溶液であり、この場合、前記アルコール溶液は、エタノール７０％（ｗｔ）溶液又はイソプロピルアルコール７０％（ｗｔ）溶液であり得る。溶媒としては水が用いられ得るが、水に限定されるものではない。また、アルコール溶液は混合液、例えば、エタノール及びイソプロピルアルコールを混合した溶液でもよい。また、消毒液は、アルコールに耐性のない患者向けに使用されるポピドンヨード液でもよく、より殺菌効果の高いグルタルアルデヒド溶液でも良い。
前記基材は、例えば、小片に切り離し可能に形成された帯状基材をロール状に巻き回してなる基材ロールであり得、該基材ロールは、少なくともその外面の一部が消毒液に浸かった後に消毒綿取出口から取り出されるように前記収容部の内部に転動可能に収容され得る。
また、前記基材は、例えば、小片に切り離し可能に形成された帯状基材をジグザグ状に折り畳んでなる基材帯であり得、ジグザグ状に折り畳まれた前記基材束は、少なくともその一方側の縁部が消毒液に浸かるように前記収容部の内部に収容され得る。
この場合、好ましくは、ジグザグ状に折り畳まれた前記基材束の底面は収容部の側面に固定され得る。
さらにまた、前記基材は、小片に切り離し可能に形成された帯状基材をジグザグ状に折り畳んでなる基材帯であり得、ジグザグ状に折り畳まれた前記基材束が、少なくともその底部が消毒液に浸かるように前記収容部の内部に収容され得る。
この場合、好ましくは、ジグザグ状に折り畳まれた前記基材束の底面は収容部の底面に固定され得る。
【発明の効果】
【０００５】
本発明による消毒綿収容装置は、内部に消毒綿を収容可能な収容部を備えたハウジングと、前記収容部から消毒綿を取り出すことができるように前記ハウジングに形成された消毒綿取出口と、前記ハウジングに開閉可能に設けられた消毒綿取出口用蓋部材とを備え、前記蓋部材を開けた状態において、空気中の物質と反応して、蓋部材とハウジングとの間の空間における前記消毒綿取出口の周囲に殺菌剤含有雰囲気を生成するように殺菌剤発生手段を前記ハウジング又は蓋部材に設けているので、蓋部材を開けた時に消毒綿取出口の周囲に殺菌剤含有雰囲気が生成され、消毒綿を取り出す時に細菌汚染されることがない。
前記殺菌剤発生手段が、空気中の物質と反応して二酸化塩素雰囲気、オゾン雰囲気、又はイオン雰囲気を生成することにより取出口の周囲が空間除菌されるという効果を有し、また、オゾン雰囲気の場合には脱臭効果も併せて得られる。
また、前記蓋部材に、蓋部材を開けた時に、取出口の側方を覆うように蓋部材とハウジングとの間に伸びる側壁を設けることにより、殺菌剤発生手段により発生された殺菌剤を取出口の周囲に留めておくことが可能になり、空間除菌効果を高めることができる。
前記収容部の内部に消毒液を収容し、消毒綿を構成する基材を消毒液に浸された状態で収容部の内部に収容しているので、十分な量の消毒液が基材に含浸した消毒綿を使用することができる。また、収容部の内部に消毒液を収容して、その消毒液に浸すように消毒を収容する基材を配置しているので、消毒綿から消毒液が揮発して無くなってしまうことはない。さらにまた、収容部内で消毒液に基材を浸しておくことで、基材に消毒液が含浸した消毒綿を使用することができるので、使用前に消毒綿を準備する手間がかからない。
また、小片に切り離し可能に形成された帯状基材をロール状に巻き回してなる基材ロールで前記基材を構成し、該基材ロールを、少なくともその外面の一部が消毒液に浸かった後に消毒綿取出口から取り出されるように前記収容部の内部に転動可能に収容することで、使用により基材ロールの直径が小さくなっていっても、基材ロールを構成する帯状基材が常に消毒液の中に浸っていることになるので、常に十分な量の消毒液が含浸した消毒綿を使用することができる。
さらに、小片に切り離し可能に形成された帯状基材をジグザグ状に折り畳んでなる基材帯で前記基材を構成し、ジグザグ状に折り畳まれた前記基材束が、少なくともその一方側の縁部が消毒液に浸かるように前記収容部の内部に収容しているので、基材の使用量に関係なく、常に基材束の一方側の縁部が消毒液に浸っていることになるので、常に十分な量の消毒液が含浸した消毒綿を使用することができる。また、この場合、ジグザグ状に折り畳まれた前記基材束の底面を収容部の側面に固定することにより、消毒綿を最後まで使い切ることが可能になる。
さらにまた、小片に切り離し可能に形成された帯状基材をジグザグ状に折り畳んでなる基材帯で前記基材を構成し、ジグザグ状に折り畳まれた前記基材束を、少なくともその底部が消毒液に浸かるように前記収容部の内部に収容することにより、基材帯の底部が常に消毒液に浸かっていることになるので、毛管現象により常に十分な量の消毒液が含浸した消毒を使用することができる。
また、この場合、ジグザグ状に折り畳まれた前記基材束の底面を収容部の底面に固定することにより、消毒綿を最後まで使い切ることが可能になる。
【図面の簡単な説明】
【０００６】
【図１】本発明に係る消毒綿収容装置の概略斜視図である。
【図２】図１に示した消毒綿収容装置の蓋体が開いた状態を示す斜視図である。
【図３】図１に示した消毒綿収容装置の内部構造の一実施例を示す概略縦断面図である。
【図４】消毒綿収容装置の内部構造の別の実施例を示す概略縦断面図である。
【図５】消毒綿収容装置の内部構造のさらに別の実施例を示す概略縦断面図である。
【発明を実施するための形態】
【０００７】
以下、添付図面に示した幾つかの実施例を参照しながら本発明に係る消毒綿収容装置の実施の形態を説明していく。
図１は本発明に係る消毒綿収容装置の概略斜視図、図２は図１に示した消毒綿収容装置の蓋体が開いた状態を示す斜視図、図３は図１に示した消毒綿収容装置の内部構造の一実施例を示す概略縦断面図である。
図面に示すように、消毒綿収容装置は、直方体のハウジング１を備え、ハウジング１の上板１ａには開閉可能な蓋体２が設けられている。
ハウジング２の内部には、消毒綿収容部３が形成され、この収容部３にアルコール溶液等の消毒液及び消毒綿１０が収容されている。
前記ハウジング１の上板１ａには、内部に収容された消毒綿１０を取り出すための消毒綿取出口４が形成されている。
図３に示すように、取出口４は、ハウジング１の上板１ａに形成された凹部４ａと、一対のガイド板４ｂ及び４ｃとを備え、消毒綿１０がガイド板４ｂ及び４ｃの間を通って取り出されるように構成されている。
前記蓋体２は、その後部を軸にして上下に回動して開閉するように構成されている。また、図２に示すように、蓋体２の両側縁には下方、即ち、蓋体２を開いた時にハウジング１の上板１ａに向かって伸びる側板２ａ，２ｂが設けられており、これにより、蓋体２を開いた時に、取出口４の周囲が、蓋体本体２、側板２ａ，２ｂ及びハウジング１の上板１ａによって囲まれる。
蓋体２の裏面には、殺菌剤発生手段５が設けられている。この殺菌剤発生手段５は、蓋体２を開いた時に空気中の物質との反応によって殺菌剤を発生するように構成されている。殺菌剤発生手段５は、例えば、二酸化塩素を水溶液中で保持して安定に二酸化塩素ガスを放散することができるように構成され得る。二酸化塩素は、通常は常温下では気体で存在する物質であるが、水に溶けやすいために、水溶液中に保持することで、安定に二酸化塩素ガスを放散することができる。具体的には、殺菌剤発生手段５は、液体二酸塩素をゼオライトや多孔性樹脂に保持させた顆粒剤やタブレット固形剤とし、通気性のある袋体で収容して成り、未使用時は外気との交換がないように密封保持され、使用時に開封することで大気中のガスや水分と反応させ、二酸化塩素が放散するように構成され得る。
二酸化塩素分子は、フリーラジカル構造を持っており、強力な酸化作用があるためにウイルス、細菌、真菌（カビ）の中のアミノ酸を酸化する。この酸化作用により、ウイルス、細菌、真菌が変性し生物機能が低下することになる。
上記したように構成された殺菌剤発生手段５によって、蓋体２を開けている状態で、取出口４の周囲に殺菌剤含有雰囲気が生成される。本実施例の場合、取出口４の周囲が蓋体２、側板２ａ，２ｂ及びハウジング１の上板１ａによって囲まれているので、殺菌剤発生手段５によって発生された二酸化塩素ガス等の殺菌剤が拡散し難く、取出口４の周囲が適度な濃度の殺菌剤含有雰囲気に保たれる。
これにより、取出口４の周囲が空間除菌され、取出口４から消毒綿１０を取り出す時に酒精綿が細菌で汚染されることがなくなる。
【０００８】
図３は上記したように構成された消毒綿収容装置の内部構造の一実施例を示す概略断面図である。
図面に示すように、ハウジング１の内部には消毒綿収容部３が形成されており、この収容部３には消毒液６が入れられている。ここで、消毒液６は、例えば、消毒綿として利用可能な殺菌力を有する消毒液であれば任意の消毒液でよく、具体的には、例えば、アルコール溶液、詳細には、エタノール７０％（ｗｔ）溶液又はイソプロピルアルコール７０％（ｗｔ）溶液であり得る。溶媒としては水が用いられ得るが、水に限定されるものではない。また、消毒液は混合液、例えば、エタノール及びイソプロピルアルコールを混合した溶液でもよい。アルコールに耐性のない患者向けに使用されるポピドンヨード液でもよく、より殺菌効果の高いグルタルアルデヒド溶液でもよい。
また、収容部３には、消毒綿を構成する脱脂綿や不織布等の帯状基材がロール状に巻き回された基材ロール１０が収容されている。この基材ロール１０は、小片に切り離すことができるように切断線（図示せず）を有し、かつ、予め使用するのに適切なサイズに容易に折り畳むことができるように折り目が付されており、アルコール溶液６に浸かった状態で転動可能に収容部３の底部に置かれており、その先端が前記取出口４のガイド板４ｂ及び４ｃによって挟持された状態で取出口４に保持されている。
これにより、使用者が取出口４から基材ロール１０、即ち、消毒綿１０を引き出すと、収容部３の内部で基材ロール１０が転がるため基材ロール１０は万遍なく消毒液６に浸されることになる。
上記したように、基材ロール１０が収容部３の内部で常に消毒液６に浸された状態で保持されているので、取り出した消毒綿１０には十分な量の消毒液が含浸されており、また、蓋体２を開いて消毒綿１０を取り出す時には取出口４の周囲が殺菌剤含有雰囲気に保たれて空間除菌されているので、取り出す時に酒精綿が細菌汚染されることがない。
【０００９】
図４は、上記したように構成された消毒綿収容装置の内部構造の別の実施例を示す概略縦断面図である。以下、図１〜図３に示した実施例の構成部材と対応する構成部材には同じ符号を付して説明をしていく。
図面に示すように、ハウジング１の内部には消毒綿収容部３が形成されており、この収容部３には消毒液６が入れられている。前記消毒液６は、消毒綿として利用可能な殺菌力を有する消毒液であれば任意の消毒液でよく、例えば、アルコール溶液を用いることができ、また、アルコールに耐性のない患者向けに使用されるポピドンヨード液でもよい。
収容部３には、消毒綿を構成する脱脂綿や不織布等の帯状基材をジグザグ状に折り畳んでなる基材塊体１０が収容されている。この基材塊体１０を構成する帯状基材には小片に切り離すことができるように切断線（図示せず）が設けられている。また、前記小片には、予め使用するのに適切なサイズに容易に折り畳むことができるように折り目が付されていると有利である。また、この基材塊体１０は、図４に示すように一方側の縁部１０ａを下にして、縁部１０ａが消毒液６に浸かるように前記収容部３に収容されている。
また、前記基材塊体１０は、その底部１０ｂが収容部３の側壁、即ち、ハウジング１の側板１ｂに固定され得る。図４に示した消毒綿収容装置は、使用初期は基材塊体１０が、それ自身の重みで安定しているが、使用するに従って基材塊体１０が次第に小さくなって軽くなり、その結果、消毒綿を使い切る前に、基材塊体１０が収容部３の中で宙に浮いてしまい、消毒液６から全体が出てしまう等の問題が生じる可能性がある。前記したように基材塊体１０の底部１０ｂをハウジング１の側板１ａに固定することで、基材塊体１０が小さくなっても宙に浮くことがなくなり、消毒綿を最後まで使い切ることができるようになる。
【００１０】
図５は、上記したように構成された消毒綿収容装置の内部構造のさらに別の実施例を示す概略縦断面図である。以下、図１〜図３に示した実施例の構成部材と対応する構成部材には同じ符号を付して説明をしていく。
図面に示すように、ハウジング１の内部には消毒綿収容部３が形成されており、この収容部３には消毒液６が入れられている。前記消毒液６は、消毒綿として利用可能な殺菌力を有する消毒液であれば任意の消毒液でよく、例えば、アルコール溶液が用いられる。また、アルコールに耐性のない患者向けに使用されるポピドンヨード液でもよい。
収容部３には、消毒綿を構成する脱脂綿や不織布等の帯状基材をジグザグ状に折り畳んでなる基材塊体１０が収容されている。この基材塊体１０を構成する帯状基材には小片に切り離すことができるように切断線が設けられている。また、この基材塊体１０は、図５に示すように、その底部１０ｂを下にして、底部１０ｂが消毒液に浸かるように前記収容部３に収容されている。
また、前記基材塊体１０は、その底部１０ｂが収容部１の底板、即ち、ハウジング１の底板１ｃに固定され得る。図５に示した消毒綿収容装置１は、使用初期は基材塊体１０が、それ自身の重みで安定しているが、使用するに従って基材塊体１０が次第に小さくなって軽くなり、その結果、消毒綿を使い切る前に、基材塊体１０が収容部３の中で宙に浮いてしまい、消毒液６から全体が出てしまう等の問題が生じる可能性がある。前記したように基材塊体１０の底部１０ｂをハウジング１の底板１ｃに固定することで、基材塊体１０が小さくなっても宙に浮くことがなくなり、消毒綿を最後まで使い切ることができるようになる。
【００１１】
前記したように構成された消毒綿収容装置は、消毒綿１０を取出口４から引き出す時にハウジング１が動いてしまわないように、ハウジング１を机や壁に固定して使用することが好ましい。このために、例えば、ハウジング１の底面、背面及び／又は側面に両面テープ等の任意の固定手段が設けられ得る。
また、前記ハウジング１は、透明又は半透明の材料で構成され得る。このようにハウジング１を透明又は半透明の材料で構成することで、基材や消毒液の残量を外から視認することができるようになる。
さらにまた、上記した実施例では、消毒綿を構成する基材が小片に切り離すことが可能な帯状基材で構成されているが、これは本実施例に限定されることなく、例えば、四角形の小片綿部材から成る複数の基材をそれぞれ少なくとも二つに折り畳み、一つの折り畳まれた基材の一辺を他の折り畳まれた基材で挟むように互い違いに複数の基材を重ねて基材束を用いてもよい。この場合でも、取り出されたときに容易に折り畳むことができるように取り出される小片一枚毎に折り畳みの折目がつけられ得る。
上記した実施例では、殺菌剤発生手段５が蓋体２の裏面に設けられているが、殺菌剤発生手段５を設ける位置は本実施例に限定されることなく、蓋体２を開けた状態において、消毒綿取出口の周囲に殺菌剤含有雰囲気を生成することができる位置であれば任意の位置でよく、例えば、ハウジングに設けてもよく、具体的には、例えば、消毒綿取出口と同一平面上に設けてもよい。
【００１２】
上記した実施例によれば、ハウジング１の上板１ａに消毒綿取出口４を設け、該取出口４を、消毒綿が通過できる程度の狭い間隔離間された一対のガイド板４ｂ及び４ｃで構成しているので、たとえ、ハウジング１が倒れる等しても、内部に収容された消毒液がハウジング１から漏れ出ることがない。
また、前記取出口４は実質的に消毒綿で塞がれているため収容部３の内部は実質的に密閉された状態になる。よって、内部の消毒液の蒸発を最低限に抑えることができる。
さらに、基材ロール又は基材塊体を、その一部が消毒液に常に浸かるように収容部に収容しているので、収容部３に入れておく消毒液の量を最低限にすることができるのでコストが抑えられ、かつ、消毒綿収容装置の重量も軽くすることができる。
さらにまた、該取出口４を、消毒綿が通過できる程度の狭い間隔離間された一対のガイド板４ｂ及び４ｃで構成することにより、消毒綿を取り出す直前にガイド板４ｂ及び４ｃで挟まれて消毒綿の余分な消毒液が絞られるので、消毒綿収容装置の外部にアルコールが垂れて汚れる等の問題がない。
【符号の説明】
【００１３】
１  ハウジング
１ａ  上板
１ｂ  側板
２  蓋体
２ａ  側板
２ｂ  側板
３  消毒綿収容部
４  消毒取出口
４ａ  凹部
４ｂ  ガイド板
４ｃ  ガイド板
５  殺菌剤発生手段
６  消毒液
１０  消毒綿（基材ロール／基材塊体）
１０ａ  側縁
１０ｂ  底部
【図１】
2015168464.tif 000003
【図２】
2015168464.tif 000004
【図３】
2015168464.tif 000005
【図４】
2015168464.tif 000006
【図５】
2015168464.tif 000007